【手続補正書】
【提出日】平成15年9月11日(2003.9.11)
【手続補正１】
【補正対象書類名】特許請求の範囲
【補正対象項目名】全文
【補正方法】変更
【補正の内容】
【特許請求の範囲】
【請求項１】
処理しようとする環境に臭気マスキング組成物を分布または噴霧することを含む非毒性の臭気低減方法において、該臭気マスキング組成物が、テルペン、コーンスターチ、マンガン塩、精油およびポリビニルピロリドンから選択される少なくとも１種の臭気マスキング成分（Ａ）、および精油、香料(flavoring agents)および芳香剤(fragrances)から選択されかつＧＲＡＳ（一般に安全と認められている）香料ベンジルアルコールを少なくとも含有するフレーバー成分（Ｃ）を含有する、非毒性の臭気低減方法。
【請求項２】
臭気マスキング成分（Ａ）がポリビニルピロリドンを少なくとも含有する請求項１記載の方法。
【請求項３】
ポリビニルピロリドンが分子量１０,０００〜６０,０００、好ましくは３０,０００〜５０,０００を有する請求項２記載の方法。
【請求項４】
臭気マスキング成分（Ａ）の割合が、臭気マスキング組成物の０．００１〜５０重量％、好ましくは０．１〜２０重量％である請求項１〜３のいずれかに記載の方法。
【請求項５】
臭気マスキング組成物が、機能性フレーバー成分（Ｂ）を更に含有し、該機能性フレーバー成分（Ｂ）が、以下の物質のうち１種またはそれ以上、最も好ましくはそれ以上を含有する請求項１〜４記載の方法：
酪酸ヘキシル、酢酸オクチル、イソ酪酸イソブチル、酢酸cis-3-ヘキセン-1-イル、γ-デカラクトン、カプロン酸エチル、酢酸ブチル、安息香酸エチル、酪酸エチル、酢酸ヘキシル、カプロン酸メチル、フェニルエチルアルコール、シトロネロール、ウンデシルアルデヒド、酢酸ベンジルフェニル、桂皮アルコール、オイゲノール、酢酸ベンジル、リナロール、cis-ジャスモン、アントラニル酸アセチルメチル、cis-3-ヘキセン-1-オール、サリチル酸cis-3-ヘキセン-1-イル、安息香酸メチル、サリチル酸メチル、酢酸ゲラニル、酢酸cis-3-ヘキセン-1-イル、リツェア・クベバ(Litsea cubeba)、オレンジオイル、フェニルプロピルアルコールおよび酢酸フェニルエチル。
【請求項６】
機能性フレーバー成分（Ｂ）の割合が、臭気マスキング組成物の０．００１〜２０重量％、好ましくは０．１〜５重量％である請求項５記載の方法。
【請求項７】
臭気マスキング組成物中の前記フレーバー成分（Ｃ）の割合が、０．００１〜９５重量％、好ましくは０．１〜８０重量％である請求項１〜６のいずれかに記載の方法。
【請求項８】
前記フレーバー成分（Ｃ）が少なくとも２種のＧＲＡＳ（一般に安全と認められている）香料を含有し、好ましくはＧＲＡＳフレーバーアルコールおよび／またはＧＲＡＳポリフェノール化合物を含有する請求項１〜７のいずれかに記載の方法。
【請求項９】
前記フレーバー成分（Ｃ）が、
(a)  １種またはそれ以上のＧＲＡＳフレーバーアルコールまたはその誘導体、および
(b)  (b1)ポリフェノール化合物、および
(b2)ＧＲＡＳフレーバー酸またはその誘導体
から選択される１種またはそれ以上の香料
を含有する請求項１１記載の方法。
【請求項１０】
前記フレーバー成分（Ｃ）が、
成分(a)を０．１〜９９重量％、好ましくは０．５〜９９重量％、
成分(b1)を０〜２５重量％、好ましくは０．０１〜１０重量％、および
成分(b2)を０〜７０重量％、好ましくは０．０１〜３０重量％
含有する請求項９記載の方法。
【請求項１１】
ＧＲＡＳフレーバーアルコール(a)が、ベンジルアルコール、アセトイン、エチルアルコール、イソ-プロピルアルコール、プロピレングリコール、グリセロール、ｎ-ブチルアルコール、イソ-ブチルアルコール、ヘキシルアルコール、Ｌ-メントール、オクチルアルコール、桂皮アルコール、α-メチルベンジルアルコール、ヘプチルアルコール、ｎ-アミルアルコール、イソ-アミルアルコール、アニスアルコール、シトロネロール、ｎ-デシルアルコール、ゲラニオール、β-γ-ヘキセノール、ラウリルアルコール、リナロール、ネロリドール、ノナジエノール、ノニルアルコール、ロジノール、テルピネオール、ボルネオール、クリネオール、アニソール、クミニルアルコール、10-ウンデセン-1-オール、1-ヘキサデカノール、またはこれらの誘導体から選択され、
前記ポリフェノール化合物(b1)が、カテコール、レゾルシノール、ヒドロキノン、フロログルシノール、ピロガロール、シクロヘキサン、ウスニン酸、アシルポリフェノール、リグニン、アントシアン、フラボン、カテコール類、没食子酸誘導体、コーヒー酸、フラボノイド、前記ポリフェノールの誘導体、およびツバキ、プリムラからの抽出物から選択され、および
前記ＧＲＡＳ酸(b2)が、酢酸、アコニット酸、アジピン酸、蟻酸、リンゴ酸、カプロン酸、ヒドロ桂皮酸、ペラルゴン酸、乳酸、フェノキシ酢酸、フェニル酢酸、吉草酸、イソ-吉草酸、桂皮酸、クエン酸、マンデル酸、酒石酸、フマル酸、タンニン酸、およびこれらの誘導体から選択される請求項９または１０記載の方法。
【請求項１２】
前記フレーバー成分が、
(a1)  必須成分としての芳香族ＧＲＡＳアルコール、特にベンジルアルコール、および任意に
(a2)  １種またはそれ以上の更なるＧＲＡＳフレーバーアルコールまたはその誘導体、および
(b1)  １種またはそれ以上のポリフェノール化合物、および／または
(b2)  １種またはそれ以上のＧＲＡＳ酸またはその誘導体
を含有する請求項８〜１１のいずれかに記載の方法。
【請求項１３】
前記フレーバー成分が、
ベンジルアルコールを０．１〜９９重量％、好ましくは０．１〜７５重量％、
成分(a2)を０〜９９．８重量％、好ましくは０．０１〜９９重量％、および
成分(b1)を０〜２５重量％、好ましくは０．０１〜１０重量％、
成分(b2)を０〜７０重量％、好ましくは０．０１〜３０重量％
含有する請求項１２記載の方法。
【請求項１４】
前記フレーバー成分が、(c)フェノール、(d)エステル、(e)テルペン、(f)アセタール、(g)アルデヒドおよび(h)精油から選択される更なるＧＲＡＳ香料を含有する請求項７〜１３のいずれかに記載の方法。
【請求項１５】
前記フレーバー成分が、更なるＧＲＡＳ香料(c)〜(h)を０．００１〜２５重量％、好ましくは０．０１〜９重量％含有する請求項１４記載の方法。
【請求項１６】
更なるＧＲＡＳ香料が、フェノール(c)および／または精油(h)である請求項１４または１５記載の方法。
【請求項１７】
前記フレーバー成分がＧＲＡＳ香料の誘導体を含まない請求項７〜１６のいずれかに記載の方法。
【請求項１８】
前記フレーバー成分が、１種または２種のＧＲＡＳフレーバーアルコール(a2)および少なくとも１種のポリフェノール化合物(b1)を含有する請求項１２〜１７のいずれかに記載の方法。
【請求項１９】
前記ポリフェノール化合物(b1)がタンニンである請求項１８記載の方法。
【請求項２０】
前記フレーバー成分が、ベンジルアルコールを０．１〜２０重量％およびタンニンを０．０１〜１０重量％含有する請求項１９記載の方法。
【請求項２１】
前記組成物が、炭素数２〜１０の多価のアルコール、乳化剤、安定化剤、酸化防止剤、防腐剤、溶媒および／またはキャリアーを更に含有する請求項７〜２０のいずれかに記載の方法。
【請求項２２】
空気中への前記臭気マスキング組成物の噴霧が、二液ノズルシステム、蒸発システム、バブラー装置またはウィックシステム(wick system)によって行われる請求項７〜２１のいずれかに記載の方法。
【請求項２３】
処理しようとする環境に供給される気体と臭気マスキング組成物との混合物中の臭気マスキング組成物の割合が少なくとも１００ｐｐｔ、好ましくは少なくとも１０ｐｐｔである請求項２２記載の方法。
【請求項２４】
空気１ｍ３に対して毎時０．０００００１〜１ｍＬの投薬量が、臭気マスキング組成物の分布または噴霧によって達成される請求項２２記載の方法。
【請求項２５】
請求項１〜２１のいずれかに記載の非毒性の臭気低減用の臭気マスキング組成物。
【請求項２６】
非毒性の臭気低減のための請求項２５記載の臭気マスキング組成物の使用。